(57)【特許請求の範囲】
【請求項１】
開口部を有する本体と、
前記本体内に収容され、負圧を発生させるファン装置と、
前記負圧により生じた気流を前記本体の前記開口部へ誘導する流路と、
前記流路内に設けられ、所定の芳香具を挿抜自在に保持する芳香具装着部と、
前記本体の上部に連結され、先端に設けられた吸引口と前記本体内とを連通する空気流路を有するアーム部と、
を備え、
前記所定の芳香具は、
一方側が収容開口部とされ液体を収容可能な収容部と、
前記収容開口部を塞いで前記収容部に取り付けられた気体透過性シートと、
前記収容部と前記気体透過性シートとに囲まれた空間内に収容された液体芳香剤と、を備えており、
前記芳香具装着部は、前記芳香具を、前記開口部から挿抜可能で、かつ前記気体透過性シートが鉛直方向となる姿勢で保持するよう構成されており、
前記開口部は、前記本体における上方側に形成された、第１の開口部及び第２の開口部を有し、
前記流路は、前記第１の開口部へ接続される第１の流路と、前記第１の流路から途中分岐して前記第２の開口部へ接続される第２の流路と、を有し、
前記芳香具装着部は、前記第２の流路内に設けられており、
前記ファン装置により発生した負圧により前記吸引口から空気を吸引すると共に、吸引した前記空気を前記第１の開口部及び前記第２の開口部から排出するよう構成されて歯科用サクション装置として機能することを特徴とする芳香装置。
【請求項２】
動作時において、第２の開口部から排出される空気の流量が、前記第１の開口部から排出される空気の流量よりも少ないことを特徴とする請求項１記載の芳香装置。
【発明の詳細な説明】
【技術分野】
【０００１】
本発明は、芳香装置に係り、特に、液体芳香剤を用いるものに関する。
【背景技術】
【０００２】
室内を芳香するための芳香具は、一般家屋の室内のみならず、医療現場等様々な場所で使用されている。
例えば、歯科医療の現場（待合室、治療室、手術室等）では、患者をリラックスさせるために、また、治療や手術に伴う臭いをマスキングするために、芳香具を棚等に置いて治療室内や手術室内を芳香することが行われている。
【０００３】
一方、室内の芳香を迅速に行うため、あるいは芳香強さを均一化するため等で、送風機を備え、装着された芳香具から放たれた芳香を、送風機からの風で室内に積極的に放出させる芳香装置も利用されている。
【０００４】
このような芳香具に用いられる芳香剤の態様として、ジェル状、固体状、液体状がある。これらの内、液体状の芳香剤（以下、単に液体芳香剤と称する）を用いたものが、例えば特許文献１に開示されている。
【０００５】
液体芳香剤を用いた芳香具の構造にも種々あるが、特許文献１に記載された芳香具（以下、従来芳香具とも称する）は、以下のような一般的な構造を有している。
すなわち、未使用時（製造完了状態）において、液体を収容可能な収容部と、その収容部に収容された液体芳香剤と、収容された液体芳香剤から気化した芳香物質を透過する性質を有し、収容部の開口端部を覆うように取り付けられた気体透過性シートと、気化した芳香物質と不透過とする性質を有し、気体透過性シートを覆うように取り付けられた気体不透過性のシート（例えばアルミ箔）と、を有する構造である。
この構造において、気体透過性シートは液体芳香剤を不透過とし、気体不透過性シートは、液体芳香剤も不透過とし指により気体透過性シートから容易に剥がせるようになっている。
そして、使用に際し、この気体不透過性シートを使用者が剥がすことで芳香が始まるようになっている。すなわち、この芳香具は、気体透過性シートが芳香すべき空間に露出した状態で使用される。
【先行技術文献】
【特許文献】
【０００６】
【特許文献１】特許第３０３０７１１号公報
【発明の概要】
【発明が解決しようとする課題】
【０００７】
ところで、従来芳香具は、芳香性能を良好に確保すべく、気体透過性シートの面積を大きくできる扁平体とされている。
そのため、従来芳香具は、使用状態において、気体透過性シートと液体芳香剤との間に液体芳香剤が良好に気化するための空間が生じるように、横に寝かせた姿勢（気体透過性シートが上方を向く姿勢：以下、横姿勢とも称する）で棚の上等に置かれるのが一般的である。
しかしながら、横姿勢での載置は、上に物を置けず、また、広い占有スペースを必要とするため、壁等に立てかけられた縦姿勢で用いられる場合もあり得る。
【０００８】
従来芳香具を縦姿勢にすると、気体透過性シートにおける収容部側の面は、一部が、収容部の下方側に溜まっている液体芳香剤と接し、残りの部分が、液体芳香剤の液面を境界として気化した液体芳香剤を含む気体（以下、収容部内気体とも称する）と接するようになる。
そのため、気体透過性シートの収容部側の面は、使用時間が経過するに従って液体芳香剤の液面が下がると、収容部内気体と接する範囲の面積が増加する。
【０００９】
例えば、気体透過性シートの収容部に対応した範囲（収容部を覆う範囲）の全面積を１００とすると、製造工程で、液体芳香剤が収容部内を概ね満たす９９％充填された場合、使用開始時において気体透過性シートが収容部内気体と接する面積は１となる。
そして、この芳香具をほぼ使い切って液体芳香剤が収容部の１％にまで減少した時点（以下、使用終了時とする）において、気体透過性シートが収容部内気体と接する範囲の面積は９９となる。
すなわち、使用開始から終了までの間に、気体透過性シートが収容部内気体と接する範囲の面積は変化し、その度合いは１から９９への９９倍の増加となる。
【００１０】
気体透過性シートにおいて、収容部内気体と接している範囲の面積は、気化した芳香物質の外部への放出量に影響する。詳しくは、収容部内気体と接している範囲の面積が大きいほど放出量が多くなる。
従って、従来芳香具を縦姿勢で使用した場合、使用初期の芳香は弱く、使用時間が経過する程芳香が強くなり、使用末期の芳香が最も強くなる。
そのため、この面積変化の度合いが大きすぎると、芳香強さが変化したことを使用者が感じ取れる場合がある。
更にその変化度合いが大きくなり過ぎると、使用者が、芳香具として芳香強さの変化を商品として好ましくないと感じる、あるいは、使用初期に必要な強さの芳香が得られず使用末期に芳香が強すぎる、という不具合を感じる虞が生じる。
これらは、使用者の嗅覚が鋭い程、感じられる可能性が高くなる。
【００１１】
そこで、本発明が解決しようとする課題は、使用経過に伴う芳香強さの変化度合いが小さく良好な使用感が得られる芳香装置を提供することにある
【課題を解決するための手段】
【００１２】
上記の課題を解決するために、本発明は次の構成を有する。
１）開口部を有する本体と、
前記本体内に収容され、負圧を発生させるファン装置と、
前記負圧により生じた気流を前記本体の前記開口部へ誘導する流路と、
前記流路内に設けられ、所定の芳香具を挿抜自在に保持する芳香具装着部と、
前記本体の上部に連結され、先端に設けられた吸引口と前記本体内とを連通する空気流路を有するアーム部と、
を備え、
前記所定の芳香具は、
一方側が収容開口部とされ液体を収容可能な収容部と、
前記収容開口部を塞いで前記収容部に取り付けられた気体透過性シートと、
前記収容部と前記気体透過性シートとに囲まれた空間内に収容された液体芳香剤と、を備えており、
前記芳香具装着部は、前記芳香具を、前記開口部から挿抜可能で、かつ前記気体透過性シートが鉛直方向となる姿勢で保持するよう構成されており、
前記開口部は、前記本体における上方側に形成された、第１の開口部及び第２の開口部を有し、
前記流路は、前記第１の開口部へ接続される第１の流路と、前記第１の流路から途中分岐して前記第２の開口部へ接続される第２の流路と、を有し、
前記芳香具装着部は、前記第２の流路内に設けられており、
前記ファン装置により発生した負圧により前記吸引口から空気を吸引すると共に、吸引した前記空気を前記第１の開口部及び前記第２の開口部から排出するよう構成されて歯科用サクション装置として機能することを特徴とする芳香装置である。
２）動作時において、第２の開口部から排出される空気の流量が、前記第１の開口部から排出される空気の流量よりも少ないことを特徴とする１）に記載の芳香装置である。
【発明の効果】
【００１３】
本発明によれば、使用経過に伴う芳香強さの変化度合いが小さく良好な使用感が得られる、という効果を奏する。
【図面の簡単な説明】
【００１４】
【図１】本発明の実施の形態に係る芳香具の実施例である芳香具５１を説明するための斜視図である。
【図２】芳香具５１の未使用状態での縦断面図である。
【図３】芳香具５１の使用状態での縦断面図である。
【図４】芳香具５１の使用態様例を説明するための斜視図である。
【図５】本発明の実施の形態に係る芳香装置の実施例である芳香装置５２を説明するための斜視図である。
【図６】芳香装置５２における本体部５１の構造を説明するための縦断面図である。
【図７】芳香装置５２における吸気経路を説明するための模式図である。
【図８】芳香装置５２における気体放出部５３を説明するための斜視図である。
【図９】気体放出部５３を説明するための上面図である。
【図１０】気体放出部５３を説明するための断面図である。
【図１１】本発明の実施の形態に係る芳香具の実施例における変形例１を説明するための斜視図である。
【図１２】本発明の実施の形態に係る芳香具の実施例における変形例２を説明するための斜視図である。
【発明を実施するための形態】
【００１５】
本発明の実施の形態を、好ましい実施例及び変形例により図１〜図１２を参照して説明する。
まず、実施の形態に係る芳香具の実施例である芳香具５１について図１〜図４を参照して説明する。
図１は、芳香具５１における使用前の状態（未使用状態）を説明するための外観斜視図であり、図２は、図１におけるＳ１−Ｓ１断面図であり、図３は、芳香具５１を使用状態にしたときのＳ１−Ｓ１に相当する位置の断面図である。図４は、芳香具５１の使用態様の一例を示す斜視図である。
【００１６】
芳香具５１は、製造完了状態である未使用状態において、一面側が開口部１ａ２とされ液体を収容可能な枡状の収容部１ａ及び収容部１ａの開口部１ａ２側において四方外側に張り出したフランジ１ｂを有する容器１と、容器１における収容部１ａの縁部又はフランジ１ｂに溶着等で取り付けられ収容部１ａの開口部１ａ２を完全に覆う気体透過性シート２と、気体透過性シート２を覆うように溶着等で取り付けられた気体不透過性シート３と、収容部１ａの底部１ａ１における外側面に貼り付けられた表示シート４と、収容部１ａ内に気体透過性シート２により封止収容された液体芳香剤５と、を有している。
フランジ１ｂの最外形形状は例えば矩形とされている。
【００１７】
液体芳香剤５は、例えば、精油（エッセンシャルオイル）、精油を溶剤で希釈したもの、等である。液体芳香剤５の種類は限定されないが、揮発性芳香物質を含む、あるいは、揮発性芳香物質からなる液体である。
液体芳香剤５を収容する容器１は、例えばポリエチレンテレフタレートなどの樹脂で形成されている。容器１の光透過性は限定されないが、収容した液体芳香剤５の液面の位置が外部から視認把握できる観点においては光透過性を有するものが好ましい。
【００１８】
気体透過性シート２は、少なくとも液体芳香剤５から気化した芳香物質のガスは透過し、液体芳香剤５自体を透過しない性質を有するフィルムである。例えばポリエチレン系の樹脂フィルムである。
気体透過性シート２は、指では容器１から剥がせない程度の取り付け力で取り付けられている。
【００１９】
気体不透過性シート３は、液体芳香剤５から気化した芳香物質のガスを実質的に透過させない性質を有するフィルムである。例えば、アルミ箔又はアルミ箔の両面を樹脂フィルムでラミネートした複合フィルムとされる。
気体不透過性シート３は、気体透過性シート２に対し、指等で容易に取り外しできるように取り付けられている。
【００２０】
表示シート４は、紙又は樹脂等からなるシートである。表示シート４には、芳香具５１や収容した液体芳香剤５の種類を特定する情報４ａ（商品名、商品番号、液体芳香剤の種類、製造者等）と、製造完了時（未使用時）における液体芳香剤５の液面５ａの位置を示すマーク４ｂとが表示されている。この例においてマーク４ｂは、直線状のものとして表示されている。
【００２１】
芳香具５１は、使用開始時に、指などで気体不透過性シート３を剥がして取り外すものとされている。これにより、図３に示される状態となり、気体不透過性シート３により禁止されていた、気化した芳香物質の気体透過性シート２の透過、すなわち、芳香物質ガスの収容部１ａ内から外部空間への放出（矢印ＤＲ１）が許容され、外部空間の芳香が行われる。
【００２２】
芳香具５１の基準となる使用姿勢は、縦姿勢とされ、使用者には取扱説明文等で告知される。
【００２３】
芳香具５１を縦姿勢で安定して棚に載置できるように、例えば図４に示されるように、芳香具５１をホルダ６に保持させて棚Ｔに載置してもよい。
ホルダ６は、左右側のフランジ１ｂを挿入可能なスリット６ａを有して、芳香具５１を矢印ＤＲ２のように上方から着脱自在に保持させることができるポケット部６ｂが形成されている。
ポケット部６ｂにおいて、挿入された芳香具５１の気体透過性シート２側には、所定の空隙が形成され、気化した芳香物質が良好に外部放出され得るようになっている。
【００２４】
芳香具５１において、収容部１ａと気体透過性シート２とで囲まれた空間を空間Ｖ１とすると、空間Ｖ１の容積（収容部１ａの容積）は、液体芳香剤５の体積と残存空間Ｖ１ａの容積との和となる。
【００２５】
芳香具５１を、縦姿勢にすると、空間Ｖ１に収容された液体芳香剤５は、その空間Ｖ１の下方側に溜まり残存空間Ｖ１ａは上方側に位置する。
ここで、図３に示されるように、縦姿勢を、気体透過性シート２が厳密に鉛直面となる姿勢（鉛直縦姿勢）とした場合、下方側に溜まった液体芳香剤５の液面５ａの上下方向位置を位置Ｐ１とし、収容部１ａの下端位置から位置Ｐ１までの鉛直距離を距離Ｌ１とし、位置Ｐ１から収容部１ａの上端位置までの鉛直距離を距離Ｌ２とすると、距離Ｌ１＋距離Ｌ２は収容部１ａの上下方向の距離Ｌとして表される。
ここで、距離Ｌに対する距離Ｌ１の比（Ｌ１／Ｌ）を液体芳香剤接触比ＲＧとする。例えば、液体芳香剤接触比ＲＧが１の場合、液体芳香剤５が収容部１ａ内に満杯状態（残存空間Ｖ１ａ無し）となる。
【００２６】
この例では、収容部１ａは直方体形状の枡状のものとしているので、気体透過性シート２における収容部１ａに対応する範囲の面積ＡＲと、液体芳香剤５と接している範囲の面積ＡＲ１と、残存空間Ｖ１ａ内の気体と接している範囲の面積ＡＲ２と、は、それぞれ水平方向が同幅で上下方向が異幅なる長方形形状の面積になる。
従って、面積ＡＲと面積ＡＲ１と面積ＡＲ２との面積比は、距離Ｌと距離Ｌ１と距離Ｌ２との比と同じである。
すなわち、この例において、液体芳香剤接触比ＲＧは、ＲＧ＝ＡＲ１／ＡＲ  でもある。
【００２７】
芳香具５１は、未使用状態において、ＡＲ１／ＡＲなる液体芳香剤接触比ＲＧが、ＲＧ≦０．５とされている。この液体芳香剤接触比ＲＧは、より好ましくは、ＲＧ≦０．３３である。
具体的には、芳香具５１を縦姿勢で使用した場合、液体芳香剤５の初期収容量に相当する使用開始から０（ゼロ）となる使用終了まで、気体透過性シート２における残存空間Ｖ１ａ内の気体と接している範囲の面積ＡＲ２の変化が小さい方が、使用時間の経過に伴う芳香強さの変化度合いが小さくなり好ましい。
【００２８】
発明者らの検討により、芳香強さの変化度合いが好ましくないと感じられるか否かの境界値となる初期収容量は、収容部１ａの残存空間Ｖ１ａの容積変化比が２以下となる量であること、更に、残存空間Ｖ１ａの容積変化比が１．５以下であるとより良いことを推定するに至った。
すなわち、残存空間Ｖ１ａの容積変化比が２以下となる初期収容量は、ＲＧ≦０．５であり、より好ましくは残存空間Ｖ１ａの容積変化比が１．５以下となる初期収容量であって、ＲＧ≦０．３３である。
より具体的には、芳香具５１は、収容部１ａの容積が１０ｍｌである場合、液体芳香剤５の初期収容量を５ｍｌ以下とするものであり、更に初期収容量が０．３３ｍｌ以下であることがより好ましいものである。
【００２９】
これらのＲＧ範囲内で、初期収容量を液体芳香剤の揮発速度に応じて設定してもよい。例えば、使用開始から液体芳香剤５が無くなるまでの時間が、液体芳香剤５の種類よらず概ね同じになるよう、液体芳香剤５の種類毎に設定する。
具体的には、揮発速度が速い種類程、初期収容量を多くし、揮発速度が遅い種類程、初期収容量を少なくする。
この場合も、使用者に対し、初期収容量が液体芳香剤の種類毎に異なることの理解を促すために、初期収容量の液面位置をマーク４ｂで指示することは有効である。
【００３０】
上述のように、芳香具５１における液体芳香剤５の初期収容量を使用者が把握できるように、芳香具５１に、初期収容量での液面５ａの位置を示すマーク４ｂが表示されている。
従って、マーク４ｂは表示シート４に表示されるものに限定されず、容器１自体に刻印若しくは凸状等で一体的に、又は印刷等により二次的に表示されるものであってもよい。
マーク４ｂは直線状でなくてもよく、点状等の記号、文字、等種々の態様とすることができる。
【００３１】
芳香具５１の製造方法の例は、次の通りである。
１）  容器１の底部１ａ１における外側面に、表示シート４を貼付する。
２）  容器１を開口部１ａ２が上を向く姿勢で保持又は台上に載置する。
３）  容器１の収容部１ａ内に、開口部１ａ２から所定量の液体芳香剤５を注入器等により入れる。
４）収容部１ａの開口部１ａ２を塞ぐように気体透過性シート２を被せ、容器１の収容部１ａの縁部又はフランジ１ｂに対して溶着等で収容部１ａ内が密閉状態となるよう取り付ける。
５）  気体透過性シート２の上に、更に気体不透過性シート３を被せ、少なくとも気体透過性シート２における収容部１ａの開口を塞いだ範囲を覆うように気体透過性シート２に貼り付ける。
この工程で、表示シート４の貼付は、最初に行うものに限定されない。中間又は最後であってもよい。
所定量は、ＲＧ＝ＡＲ１／ＡＲ≦０．５とする量、好ましくはＲＧ＝ＡＲ１／ＡＲ≦０．３３とする量である。
また、所定量は、ＲＧ≦０．５又はＲＧ≦０．３３とする範囲内で、液体芳香剤５の揮発速度に応じて設定してもよい。これにより、液体芳香剤５の種類違いで揮発速度が異なっていても、使用期間（使用開始時から液体芳香剤５が無くなるまでの期間）を概ね一定とすることができる。
【００３２】
次に、芳香装置について説明する。
芳香具５１を置く室内が広い等の理由から、より積極的に、また均一的に芳香を行うため、芳香装置を用いることができる。
概略的には、その芳香装置は、送風部（気流発生部）と、送風部で発生させた気流の経路となる流路と、その流路内に設けられ芳香具５１を交換可能に装着できる装着部と、を備えたものである。
【００３３】
以下、実施例の芳香装置５２を、図５〜図１０を参照して説明する。
芳香装置５２は、歯科用サクション装置であって、詳しくは口腔外用サクション装置であり、更に詳しくは単体サクション装置である。
図５は、芳香装置５２の外観斜視図であり、図６は、芳香装置５２の本体部２１の縦断面図であり、図７は、芳香装置５２の構成を説明するための模式図であり、図８は、芳香具５１を装着する装着部２３ｂ等を説明するための斜視図であり、図９は、装着部２３ｂ近傍の上面図であり、図１０は、装着部２３ｂを説明するための断面図である。以下、芳香装置５２を口腔外用サクション５２とも称する。
【００３４】
まず図５を用いて、芳香装置５２である口腔外用サクション５２の外観形状について説明する。
口腔外用サクション５２は、外観上、縦長の直方体形状の本体部２１と、本体部２１の上面部２１ａに連結するよう設けられたアーム部２２と、を有している。
アーム部２２は、上面部２１ａから上方に突出したアーム基部２２ａと、一端側がアーム基部２２ａに関節部ＫＳ１で連結した第１アーム２２ｂと、第１アーム２２ｂの他端側に対し一端側が関節部ＫＳ２で連結した第２アーム２２ｃと、第２アーム２２ｃの他端側に対し一端側が関節部ＫＳ３で連結した第３アーム２２ｄと、第３アーム２２ｄの他端側に対し一端側が関節部ＫＳ４で連結した第４アーム２２ｅと、第４アーム２２ｅの他端側に対し一端側が関節部ＫＳ５で連結したヘッド部２２ｆと、を有して構成されている。
【００３５】
関節部ＫＳ１〜ＫＳ３は、連結された各アームの延在方向に対して直交する方向の軸心まわりの回動（矢印ＤＲ３〜ＤＲ５）を許容する。
関節部ＫＳ４は、第４アーム２２ｅの中心軸線まわりの回動（矢印ＤＲ６）を許容する。
関節部ＫＳ５は、第４アーム２２ｅの延在方向に対して概ね直交する方向の軸心まわりの回動（矢印ＤＲ７）を許容する。
アーム基部２２ａは、上部と下部とに中間で二分されており、第１アーム２２ｂが連結された上部が本体部２１に連結した下部に対して鉛直軸線まわりに回動可能となっている。
ヘッド部２２ｆは、先端に、空気吸引の為の吸引口として開口部２２ｆ１が設けられている。
アーム部２２は、内部に、開口部２２ｆ１と本体部２１の内部とを連通する空気流路を有している。
【００３６】
本体部２１の上面部２１ａの一辺側には、動作モードスイッチ及び電源ボタン等の操作スイッチ等が配置された操作部２１ｂが設けられている。
この操作部２１ｂが設けられた側を便宜的に前とし、これを基準として前後左右の方向を図５に示されるように規定する。
本体部２１の底面には、複数のキャスタ２１ｃが設けられている。また、上面部２１ａの前後左右の各辺に沿い、かつアーム基部２２ａを囲むように、ハンドル２１ｄ１〜２１ｄ４が設けられている。
これにより、使用者は、ハンドル２１ｄ１〜２１ｄ４のいずれかを把持して押し引きすることで、芳香装置５２を容易に移動させることができる。
【００３７】
上面部２１ａにおいて、前側のハンドル２１ｄ１とアーム基部２２ａとの間には、上方に向かって開口した開口部２３ａを有する気体放出部２３が設けられている。この例では、気体放出部２３は、上面部２１ａから上方に突出する部分を含んで形成されている。気体放出部２３の詳細は後述する。
【００３８】
本体部２１の上方側における前後左右の四側面には、それぞれ排気口２４ａ〜２４ｄが設けられている。排気口２４ａ〜２４ｄは、使用状態で水平方向に延びる細長形状に開口している。
【００３９】
口腔外用サクション５２は、動作時に、ヘッド部２２ｆの開口部２２ｆ１から空気を吸引し排気口２４ａ〜２４ｄから排気するようになっている（図７も参照）。
詳しくは、ヘッド部２２ｆを、治療中の口腔近傍に配置し、治療で生じた金属の切削粉塵等を開口部２２ｆ１から吸い込むことで口腔から除去することを動作目的の一つとしている。
【００４０】
従来、歯科用サクションは、セントラルサクションシステムなどと称される集中排気システムを伴って敷設されるのが一般的である（例えば特開２００６−５５４２８号公報参照）。
セントラルサクションシステムは、複数のサクションから吸引した空気を床下等で纏め、室外へ排気するようになっている。
従って、セントラルサクションシステムは、治療室を建設する時点で敷設される比較的大掛かりなシステムであり、各サクションの移動はできないものである。
これに対し、治療環境の拡張及び多様化等のため、移動可能であって、排気システムのない場所でも治療支援として利用が可能な単体のサクション装置も有用として開発され、上市されている。
【００４１】
従来の単体サクション装置は、本体部の上方側に連結されたアーム部から吸引した空気を、本体部の下方から床側に排出するものであった。
従って、使用環境によっては床面に塵埃が多い場合があり、塵埃を排気で巻き上げてしまう可能性のあることが懸念される。
【００４２】
実施例の口腔外用サクション５２も、吸引動作において、アーム部２２から吸引した空気を本体部２１から外部に排出するものであるが、排出口である排気口２４ａ〜２４ｄは、本体部の下方ではなく上方側に設けられている。
この構造により、床面に塵埃が多く存在していても、その塵埃を巻き上げてしまう虞はない。
【００４３】
また、口腔外用サクション５２は、更に、吸引した空気の一部を気体放出部２３からも室内に排出するようになっている。
【００４４】
このような吸引から排出に至る流路について、本体部２１の内部構造の説明と併せて図６を参照して詳述する。図６は、本体部２１を図５のＳ２−Ｓ２縦断面図である。
【００４５】
図６に示されるように、本体部２１は、外観として視認される筐体２１ｅの内部に、機能部２５が収容されている。
機能部２５は、塵受けフィルタ２５ａと、バッグフィルタ２５ｂと、吸引ボックス２５ｃと、粉塵フィルタ２５ｄと、を含み、この順で上方側から並べられて構成されている。
塵受けフィルタ２５ａには、大きな切削物を捕捉するためのフィルタが着脱自在に装着されている。
バッグフィルタ２５ｂには、細かい切削物を捕捉するためのフィルタが着脱自在に装着されている。
吸引ボックス２５ｃは、空気吸引のための負圧を発生させるファン２５ｃ１及びモータ２５ｃ２を備えたファン装置である。
粉塵フィルタ２５ｄには、例えば０．３μｍ以上の粉塵を捕捉するためのフィルタが着脱自在に装着されている。
以下、塵受けフィルタ２５ａ，バッグフィルタ２５ｂ，及び粉塵フィルタ２５ｄを纏めてフィルタ群２５ｅとも称する。
【００４６】
機能部２５は、吸引ボックス２５ｃのモータ２５ｃ２が動作しファン２５ｃ１が回転することで、空気吸引と吸引した空気の排出とをフィルタ処理を含めて行う。
図７にも示されるように、吸引は、ヘッド部２２ｆの開口部２２ｆ１から行われ、吸引された空気は、アーム部２２の第４アーム２２ｅから第１アーム２２ｂの内部に設けられた空気経路を通過し、アーム基部２２ａの内部を経て本体部２１内へ上方から下方に向け流入する。
そして、塵受けフィルタ２５ａ、バッグフィルタ２５ｂ、吸引ボックス２５ｃ、粉塵フィルタ２５ｄを順次通過し、切削物や塵埃等が除去されて筐体２１ｅ内の底部近傍に到達した後、上方に向け反転する（矢印ＤＲ８）。
反転後、排気Ａ１として、機能部２５と筐体２１ｅとの間の隙間を上方に移動する（矢印ＤＲ９）。以下、この排気Ａ１が上方に移動する経路を流路Ｒ１と称する。
【００４７】
この例における流路Ｒ１は、横断面が矩形形状となる本体部２１内の四辺それぞれに沿って形成されている。
流路Ｒ１の配置位置及び形状は、この例に限定されるものではなく、吸引された空気が、機能部２５を通過した後に本体部２１の筐体２１ｅ内を上昇可能とする経路であればどのようなものでもよい。
【００４８】
流路Ｒ１の上方側は、上述の排気口２４ａ〜２４ｄに接続している。すなわち、排気Ａ１は、流路Ｒ１により排気口２４ａ〜２４ｄに誘導される。
また、排気口２４ａ〜２４ｄには、排気口２４ａ〜２４ｄから排出される排気Ａ１の排出方向を、概ね水平方向よりも下向に転向するルーバ２６が設けられている。
すなわち、ルーバ２６は、通常状態で、本体部２１の中心から離れるに従って下方となる向きに傾斜している。また、その傾斜角度は、人の手又は図示しない回動機構により自動的に変えられるようになっている。
これにより、排気Ａ１の排出方向は、水平から下方向きまでの任意の角度とされ得る。
流路Ｒ１を上昇してきた排気Ａ１は、ルーバ２６により、例えば斜め下方向きに方向転換させられて外部に排出する（矢印ＤＲ１０）。
【００４９】
上述の吸引及び排気の動作により、歯科医療時にヘッド部２２ｆを患者の口腔近傍に配置することで、医療行為で生じた金属の切削粉塵等を開口部２２ｆ１から吸い込み、フィルタ群２５ｅで回収することができる。
【００５０】
一般に、歯科用サクションは、切削粉塵等を吸引するため、吸引力が大変強く、その分、排気流量も多い。
この口腔外用サクション５２では、流路Ｒ１に加え、流路Ｒ１から分岐した流路Ｒ２を有している。
この例において、流路Ｒ２の分岐点Ｐ２は、排気口２４ａ〜２４ｄの内の一つである排気口２４ａのルーバ２６よりも上流側の直近に設定されている。
流路Ｒ２は、分岐点Ｐ２から気体放出部２３の開口部２３ａに接続される流路である。
【００５１】
流路Ｒ２は、流路Ｒ１よりも流路抵抗が大きくなっており、流路Ｒ２を流れる気体の流量は流路Ｒ１内を流れる気体の流量よりも少なくなっている。流路抵抗を大きくする構造は限定されない。例えば、図６に示されるように狭く屈曲した経路とされている。
従って、排気Ａ１の多くである排気Ａ１ａが排気口２４ａ〜２４ｄから外部に排出され、少量の残分が気体放出部２３の開口部２３ａから排気Ａ２として外部に排出される。
例えば、排気Ａ２の流量が、一つの排気口からの排気Ａ１ａの１／４とした場合、流路Ｒ２が本体部２１の正面側にのみ設けられているので、排気Ａ１に対する排気Ａ２の流量比は、１／４ｘ１／４＝１／１６  となる。
この流量比は、任意に設定できる。また、任意の流量比となるように流路Ｒ２の流路抵抗を可変制御する制御部（絞り弁等）を設けてもよい。
【００５２】
そして、口腔外用サクション５２は、気体放出部２３に、芳香具５１を着脱可能に収容装着することができる装着部２３ｂを有している。この装着部２３ｂの詳細について図８及び図９を参照して説明する。
図８（ａ）は、気体放出部２３を右前斜め上方から見た斜視図であり、芳香具５１の挿入直前又は抜去直後の状態を示している。
図８（ｂ）は、気体放出部２３の装着部２３ｂに芳香具５１を装着した状態を示している。
【００５３】
気体放出部２３には、上方に向かって開口する開口部２３ａを有する装着部２３ｂが設けられている。
すなわち、開口部２３ａに対し上方側から芳香具５１を挿抜可能になっている。
気体放出部２３には、突出端側から抉られた切り欠き部２３ｃが設けられている。
芳香具５１は、装着部２３ｂ内に、例えば大部分が埋没するように収容装着される。この場合でも、切り欠き部２３ｃから、芳香具５１の一部（フランジ１ｂの一部、又は、フランジ１ｂと収容部１ａとの一部）が指で摘めるように露出するようになっている。これにより、芳香具５１を指で摘んでの装着部２３ｂへの挿抜が容易である。
【００５４】
図９は、気体放出部２３及びその近傍を上方から見た平面図である。図９には、開口部２３ａから装着部２３ｂ内に収められた芳香具５１を、二点鎖線を外形線としてハッチングで示してある。
【００５５】
開口部２３ａは、芳香具５１を装着する際にフランジ１ｂが差し込まれる左右１対のスリット２３ａ１，２３ａ２と、フランジ１ｂがスリット２３ａ１，２３ａ２に差し込まれる際に収容部１ａの進入を許容するための一対の凹部２３ａ３，２３ａ４と、が形成されている。
詳しくは、一対の凹部２３ａ３，２３ａ４は、スリット２３ａ１，２３ａ２の前後方向の位置に対して前方側及び後方側に、それぞれ凹部２３ａ３及び凹部２３ａ４として形成されている。
これにより、芳香具５１は、収容部１ａが前後のいずれの方向を向いた姿勢であっても装着部２３ｂ内に収容することができる。
【００５６】
また、図９から明らかなように、芳香具５１が装着部２３ｂに収容装着された状態で、流路Ｒ２の排出口となる開口部２３ａ近傍は、実質的に、芳香具５１の気体透過性シート２と、一対の凹部２３ａ３，２３ａ４の一方とで囲まれた空間Ｖ３となる。
すなわち、一対の凹部２３ａ３，２３ａ４が設けられていることで、芳香具５１の前後逆向きでの挿入が可能になると共に、気体透過性シート２が面する空間Ｖ３が流路Ｒ２の一部区間して確保される。
【００５７】
また、この構成により、流路Ｒ２は、空間Ｖ３の区間で、流路の幅ＬＲ２が、気体透過性シート２の収容部１ａに対応した幅Ｌ２２と概ね等しくなっている。
また、凹部２３ａ３，２３ａ４は、前後方向の奥行き寸法ＷＦ，ＷＢが、互いに等しく、かつ収容部１ａの突出高さＨ（図２参照）と同じ又は僅かに大きい扁平形状に形成されている。すなわち、空間Ｖ３は、その広い一面が気体透過性シート２で占められる扁平の空間となる。
【００５８】
従って、図１０に示されるように、流路Ｒ２を通る排気Ａ２は、流路Ｒ２の左側、中央、右側をそれぞれ通る排気Ａ２Ｌ，Ａ２Ｃ，Ａ２Ｒのいずれも、気体透過性シート２に接しながら、又は気体透過性シート２の直近を通過するので、気体透過性シート２から放出された気体芳香成分をほぼ均一に含む排気として外部に排出される。
これにより、室内に芳香強さのむらが生じることを効果的に抑制し、室内の芳香を迅速に行うことができる。
【００５９】
仮に、流路Ｒ２の偏った場所に芳香具５１を配置する構造とした場合、気体透過性シート２から離隔した位置を通過する排気が生じる。この排気は、芳香物質を含まないか又は僅かな芳香物質しか含まずに外部に排出される。
従って、芳香むらのある排気が排出されるため、室内を均一に迅速に芳香することが難しい場合が生じ得る。
芳香装置５２は、このような芳香むらのある排気は排出されないので、室内を均一に迅速に芳香することができる。
【００６０】
以上、詳述したように、芳香具５１及び芳香具５１を用いた芳香装置５２は、気体不透過性シート３を取り外した使用開始時から液体芳香剤５が無くなった使用終了時に至るまでの、気体透過性シート２と残存空間Ｖ１ａ内の気体とが接触する範囲の面積変化の度合いが極めて少ない。これにより、芳香強さの変化を、使用者が感じ難くなっている。また、使用期間内に、芳香強さが不足する、あるいは過剰になるという不具合を感じ難くなっている。
従って、芳香具５１の商品としての使用感が良好である。
【００６１】
また、芳香装置を口腔外用サクション５２とすれば、移動可能な単体サクションでありながら、排気口が本体部上方に位置しているので、床面の塵埃を巻き上げる虞がほとんどない、というメリットが得られる。
また、排気Ａ１の排出方向が、水平から下方に向いているので、治療中の坐位姿勢の医者や治療台（ベッド等）上の患者に排気が直接当たることがない。
また、口腔外用サクション５２に芳香具５１を装着した場合は、排気Ａ１が芳香物質を混入した状態で排出されるので、芳香すべき室内を迅速に、かつ均一に芳香することができる。
【００６２】
また、排気Ａ１を、大流量の排気Ａ１ａとそれよりも少流量の排気Ａ２とに分けて排出するようになっている。そして、芳香具５１を装着した場合には、少流量の排気Ａ２の気流内に芳香具５１が配置されて排気Ａ２に芳香物質が混入するようになっている。
これにより、芳香具５１における液体芳香剤５の気化速度が必要以上に高速化するのを防止して最適化を図り、芳香具５１の使用可能期間を実用上支障のない所定の期間に抑えることができる。
芳香具５１の使用可能期間は、口腔外用サクション５２の通常の稼動状態で、例えば、目安として概ね２週間とされる。
【００６３】
また、排気Ａ２は、本体部２１から上方に向け排出されるようになっている。
これにより、芳香する部屋の芳香装置５２から遠い領域にも芳香物質が到達し、芳香すべき室内の芳香を迅速により迅速に、かつより均一に芳香することができる。
また、芳香装置５２は、芳香具５１を縦姿勢で装着可能なので、本体部２１の横断面形状を小型化できる。これにより、接地面上の占有面積がより小さくなるので省スペース化が図れる。
【００６４】
本発明の実施例は、上述した手順及び構成に限定されるものではなく、本発明の要旨を逸脱しない範囲において変形例としてもよい。
【００６５】
芳香具５１は、気体透過性シート２と残存空間Ｖ１ａ内の気体とが接触する範囲の面積変化の度合いが少ないものとして、例えば、図１１及び図１２に示される芳香具５１Ａ（変形例１）及び芳香具５１Ｂ（変形例２）とされていてもよい。
【００６６】
芳香具５１Ａは、図１１に示されるように、収容部１Ａａを、その広い一面の一部が開口するものとし、その開口を気体透過性シート２Ａで塞ぎ、液体芳香剤５を、未使用時において、収容部１Ａａの開口していない箱状の収容部分１Ａｂにすべて収まる分量だけ収容したものとされている。
従って、縦姿勢において、使用開始から終了まで、気体透過性シート２Ａは、液体芳香剤５と接触せず、残存空間Ｖ１ａ内の気体とのみ接触するので接触範囲の面積は不変である。
【００６７】
芳香具５１Ｂは、図１２に示されるように、収容部１Ｂａを、横断面形状で略Ｌ字状に形成し、最も広い一面が開口部とされている。開口部は、全面が気体透過性シート２Ｂで塞がれている。液体芳香剤は、未使用時において、収容部１Ｂａの底側となる水平に延びた収容部分１Ｂｂ内に収まる分量だけ収容したものとされている。
従って、縦姿勢において、使用開始から終了まで、気体透過性シート２Ｂは、その一部が液体芳香剤５と接触するが、その接触面積の変化は大変小さいものとなっている。
【００６８】
その他の変形例は次の通りである。
芳香具５１の容器１における収容部１ａの形状は、上述のような扁平の枡状でなくてもよく、任意の形状とすることができる。例えば、縦姿勢における空間Ｖ１の形状として、横断面形状が、円形，楕円形，三角形，五角以上の多角形，若しくは不定形等の柱状又は錐台状になるものでもよい。
【００６９】
芳香装置５２は、本体部２１が四角柱状のものを説明したが、その形状は限定されない。例えば、他の角柱状であっても円柱状であってもよい。また、円錐台や角錐台形状であってもよい。
排気流量については、排気口２４ａ〜２４ｄの少なくとも一箇所から排出される排気Ａ１ａの流量が、気体放出部２３の開口部２３ａから排出される排気Ａ２の流量よりも多くなっていればよい。口腔外用サクション５２の通常の使用場所に応じて、各排気口２４ａ〜２４ｄの排気流量を調節可能としてもよい。この場合でも、すべての排気口２４ａ〜２４ｄの排気流量が排気Ａ２の排気流量以下となることはない。
【符号の説明】
【００７０】
１  容器
１ａ，１Ａａ，１Ｂａ  収容部、    １ａ１  底部、    １ａ２  開口部
１ｂ  フランジ
２，２Ａ，２Ｂ  気体透過性シート
３  気体不透過性シート
４  表示シート、    ４ａ  情報、    ４ｂ  マーク
５  液体芳香剤、    ５ａ  液面
６  ホルダ、    ６ａ  スリット、    ６ｂ  ポケット部
２１  本体部
２１ａ  上面部、    ２１ｂ  操作部、    ２１ｃ  キャスタ
２１ｄ１〜２１ｄ４  ハンドル、    ２１ｅ  筐体
２２  アーム部
２２ａ  アーム基部、    ２２ｂ  第１アーム、    ２２ｃ  第２アーム
２２ｄ  第３アーム、    ２２ｅ  第４アーム、    ２２ｆ  ヘッド部
２２ｆ１  開口部
２３  気体放出部
２３ａ  開口部、    ２３ａ１，２３ａ２  スリット
２３ａ３，２３ａ４  凹部、    ２３ｂ  装着部、    ２３ｃ  切り欠き部
２４ａ〜２４ｄ  排気口
２５  機能部
２５ａ  塵受けフィルタ、    ２５ｂ  バッグフィルタ
２５ｃ  吸引ボックス、    ２５ｃ１  ファン、    ２５ｃ２  モータ
２５ｄ  粉塵フィルタ、    ２５ｅ  フィルタ群
２６  ルーバ
５１，５１Ａ，５１Ｂ  芳香具
５２  芳香装置（口腔外用サクション）
Ａ１，Ａ１ａ，Ａ２，Ａ２Ｌ，Ａ２Ｃ，Ａ２Ｒ  排気
ＡＲ１，ＡＲ２，ＡＲ  面積、    Ｈ  突出高さ
ＫＳ１〜ＫＳ５  関節部
Ｌ１，Ｌ２，Ｌ  距離、    ＬＲ２，Ｌ２２  幅
Ｐ１  位置、    Ｐ２  分岐点
ＲＧ  液体芳香剤接触比
Ｒ１  流路、    Ｒ２  流路
Ｖ１，Ｖ３  空間、    Ｖ１ａ  残存空間
ＷＦ，ＷＢ  奥行き寸法
【図１】
0006335353.tif 000002
【図２】
0006335353.tif 000003
【図３】
0006335353.tif 000004
【図４】
0006335353.tif 000005
【図５】
0006335353.tif 000006
【図６】
0006335353.tif 000007
【図７】
0006335353.tif 000008
【図８】
0006335353.tif 000009
【図９】
0006335353.tif 000010
【図１０】
0006335353.tif 000011
【図１１】
0006335353.tif 000012
【図１２】
0006335353.tif 000013